(57)【要約】【課題】迅速に着用させることを可能とした吸収性物品を提供することを目的とする。【解決手段】前身頃および後身頃がテープ部材２０によって結合されるおむつであって、テープ部材２０は、後身頃のサイドフラップにテープ部材２０が設けられ、延出部２２と、フック部２３とを備え、複数回折り返されて、フック部２３が第２テープ折り目２５および第１フラップ折り目３１の方向に向かって延在されており、サイドフラップ１１は、複数回折り返され横方向の外側が開放された互いに隣接する第２フラップ折返部３５と第３フラップ折返部３６の間にテープ部材２０を、フック部２３の先端部を横方向外側を向くように配置させた。【選択図】図５
2018050669.tif 000002
【特許請求の範囲】
【請求項１】
前身頃と、後身頃と、前記前身頃と前記後身頃とを繋ぐ股下部とを備え、前記前身頃および前記後身頃における胴回り構成部の胴回り方向となる横方向の両端部がテープ部材によって結合される吸収性物品であって、
前記胴回り構成部における前記横方向の両端部を構成し、前記横方向の先端部を自由端部としたサイドフラップと、
前記前身頃および前記後身頃のうちの何れか一方の身頃において、前記自由端部から前記横方向の外側に向けて延出する前記テープ部材とを備え、
前記テープ部材は、前記自由端部から延出した延出部と、前記延出部の先端部に位置し一方の面を止着面とした止着部とを備え、前記横方向に対して直交する縦方向に沿った複数のテープ折り目に沿って複数回折り返されて、前記止着部が前記自由端部に近い方のテープ折り目から離れた方のテープ折り目に向かって延在されており、
前記サイドフラップは、前記縦方向に沿った複数のフラップ折り目に沿って複数回折り返されて構成された複数のフラップ折返部を備え、前記複数のフラップ折返部の中で前記横方向の外側が開放された互いに隣接するフラップ折返部の間に前記テープ部材を、前記止着部の先端部が前記横方向外側を向くように配置させた吸収性物品。
【請求項２】
前記止着部の先端部は、前記横方向の外側に位置する上記フラップ折り目より前記横方向の外側に向かって突出されている請求項１に記載の吸収性物品。
【請求項３】
前記延出部は、前記縦方向に沿い、かつ、前記自由端部に沿った第１テープ折り目と、
前記自由端部に対して前記第１テープ折り目より離れて位置する第２テープ折り目と、
前記自由端部に対して前記第２テープ折り目より離れて位置する第３テープ折り目と、
前記自由端部と前記第１テープ折り目との間に位置する第１テープ折返部と、
前記第１テープ折り目と前記第２テープ折り目との間に位置する第２テープ折返部とを備え、
前記第２テープ折返部の先端側に前記第２テープ折り目を介して位置する前記止着部を備え、
前記第１テープ折返部が前記サイドフラップと重なるように前記第１テープ折り目に沿って前記横方向内側に向かって折り返され、
前記第２テープ折返部が前記第１テープ折返部の上に重なるように前記第２テープ折り目に沿って前記横方向外側に向かって折り返され、
前記止着部が前記第２テープ折返部の上に重なるように前記第３テープ折り目に沿って前記横方向内側に向かって折り返され、
前記止着部の先端部は、前記第２テープ折り目より突出している
請求項１または２に記載の吸収性物品。
【請求項４】
前記サイドフラップは、前記自由端部に最も近い前記縦方向に沿った第１フラップ折り目と、
前記自由端部に対して前記第１フラップ折り目より離れて位置する第２フラップ折り目と、
前記自由端部に対して前記第２フラップ折り目より離れて位置する第３フラップ折り目と、
前記自由端部と前記第１フラップ折り目との間に位置する第１フラップ折返部と、
前記第１フラップ折り目と前記第２フラップ折り目との間に位置する第２フラップ折返部と、
前記第２フラップ折り目と前記第３フラップ折り目との間に位置する第３フラップ折返部とを備え、
前記第３フラップ折返部が前記第３フラップ折り目に沿って前記吸収性物品の肌と接する表面の上に重なるように前記横方向内側に向けて折り返されており、
前記第２フラップ折返部が前記第２フラップ折り目に沿って前記第３フラップ折返部の上に重なるように前記横方向外側に向けて折り返されており、
前記第１フラップ折返部が前記第１フラップ折り目に沿って前記第２フラップ折返部と前記第３フラップ折返部との間に位置するように折り返されており、
前記止着部の先端部は、前記第１フラップ折り目および前記第３フラップ折り目より前記横方向の外側に向かって突出されている
請求項３に記載の吸収性物品。
【請求項５】
前記テープ部材は、前記サイドフラップに固定される固定部を備え、
前記自由端部に沿う位置であって、かつ、前記固定部と前記第１テープ折返部との境界に前記第１テープ折り目を備え、
前記サイドフラップは、前記固定部における前記第１テープ折り目に対して前記横方向の反対側の端部に沿って前記第１フラップ折り目を備える
請求項４に記載の吸収性物品。
【請求項６】
前記前身頃、前記後身頃、および、前記股下部に亘って、前記縦方向に延在する吸収性本体を備え、
前記吸収性本体は、吸収体を含み、
前記第３フラップ折返部には、前記吸収体の前記横方向における両端部が配置され、
前記サイドフラップは、前記第３フラップ折り目において、前記吸収体を含め折り返されている
請求項４または５に記載の吸収性物品。
【請求項７】
前記止着面は、止着領域と、前記止着領域に対して前記止着部のさらに先端側に位置する非止着領域とを備えている請求項１ないし６のうち何れか１項に記載の吸収性物品。
【発明の詳細な説明】
【技術分野】
【０００１】
本発明は、前身頃の胴回り方向の両端部と後身頃の胴回り方向の両端部とをテープ部材で結合する吸収性物品に関する。
【背景技術】
【０００２】
吸収性物品としての使い捨ておむつの中には、幼児用や成人用のテープ型のおむつがある。テープ型のおむつは、前身頃と、後身頃と、前身頃と後身頃とを繋ぐ股下部とを備え、後身頃の胴回り方向の両端部に配置されたテープ部材が前身頃に止着される。これにより、テープ型おむつは、着用者の胴回りを覆う胴回り部と、着用者の太股部分を取り囲む一対の脚開口部とが構成される。おむつを使用するときには、折り畳まれているテープ型おむつを展開状態として、後身頃を着用者の臀部の下側に敷き、着用者の股下を通して前身頃を着用者の腹部に位置させる。その後、テープ部材の先端部が前身頃に止着される（特許文献１参照）。
【先行技術文献】
【特許文献】
【０００３】
【特許文献１】特許第４０２４７８２号公報
【発明の概要】
【発明が解決しようとする課題】
【０００４】
テープ型のおむつは、着用者に着用させるとき、臀部の下に後身頃を敷く必要があり、この着用作業には、着用者の臀部を持ち上げる作業が含まれる。このため、作業者に対する負担を少なくするためにも、着用者への着用作業は、迅速に行うことができるようにする必要がある。
【０００５】
特に、成人用おむつは、幼児用おむつに比べ大型であり、これに合わせて、成人用おむつのテープ部材は、幼児用おむつのテープ部材と比べても長いものとなる。これに伴い、成人用おむつのテープ部材は、幼児用おむつのテープ部材と比べても多く折り曲げて、畳まれた状態とされる。着用者におむつを着用させる際には、折り畳まれたテープ部材を展開する作業が必要となり、その分、着用者に吸収性物品を着用させるための作業時間も長くなってしまう。
【０００６】
本発明は、着用者に着用させるための作業時間を短縮することを可能とした吸収性物品を提供することを目的とする。
【課題を解決するための手段】
【０００７】
上記課題を解決するための吸収性物品は、前身頃と、後身頃と、前記前身頃と前記後身頃とを繋ぐ股下部とを備え、前記前身頃および前記後身頃における胴回り構成部の胴回り方向となる横方向の両端部がテープ部材によって結合される吸収性物品であって、前記胴回り構成部における前記横方向の両端部を構成し、前記横方向の先端部を自由端部としたサイドフラップと、前記前身頃および前記後身頃のうちの何れか一方の身頃において、前記自由端部から前記横方向の外側に向けて延出する前記テープ部材とを備える。前記テープ部材は、前記自由端部から延出した延出部と、前記延出部の先端部に位置し一方の面を止着面とした止着部とを備え、前記横方向に対して直交する縦方向に沿った複数のテープ折り目に沿って複数回折り返されて、前記止着部が前記自由端部に近い方のテープ折り目から離れた方のテープ折り目に向かって延在されている。前記サイドフラップは、前記縦方向に沿った複数のフラップ折り目に沿って複数回折り返されて構成された複数のフラップ折返部を備え、前記複数のフラップ折返部の中で前記横方向の外側が開放された互いに隣接するフラップ折返部の間に前記テープ部材を、前記止着部の先端部が前記横方向外側を向くように配置させている。
【０００８】
上記構成によれば、止着部の先端部を指などで摘んで、横方向の外側に向かって引っ張る一連の作業によって、テープ部材とサイドフラップとを横方向の外側に向かって展開することができる。すなわち、止着面が外部に露出し、止着面をテープ部材が設けられていない方の身頃の止着領域に止着するだけの状態にすることができる。これにより、着用者に着用させるための作業時間を短縮することができる。
【０００９】
上記吸収性物品において、前記止着部の先端部は、前記横方向の外側に位置する上記フラップ折り目より前記横方向の外側に向かって突出されている構成としてもよい。
上記構成によれば、止着部の先端部が折り畳まれた吸収性物品の側縁部から突出することで、摘みやすい状態にすることができる。
【００１０】
上記吸収性物品において、前記延出部は、前記縦方向に沿い、かつ、前記自由端部に沿った第１テープ折り目と、前記自由端部に対して前記第１テープ折り目より離れて位置する第２テープ折り目と、前記自由端部に対して前記第２テープ折り目より離れて位置する第３テープ折り目と、前記自由端部と前記第１テープ折り目との間に位置する第１テープ折返部と、前記第１テープ折り目と前記第２テープ折り目との間に位置する第２テープ折返部とを備え、前記第２テープ折返部の先端側に前記第２テープ折り目を介して位置する前記止着部を備え、前記第１テープ折返部が前記サイドフラップと重なるように前記第１テープ折り目に沿って前記横方向内側に向かって折り返され、前記第２テープ折返部が前記第１テープ折返部の上に重なるように前記第２テープ折り目に沿って前記横方向外側に向かって折り返され、前記止着部が前記第２テープ折返部の上に重なるように前記第３テープ折り目に沿って前記横方向内側に向かって折り返され、前記止着部の先端部は、前記第２テープ折り目より突出している構成としてもよい。
【００１１】
上記構成によれば、止着部の先端部を指などで摘んで、横方向の外側に向かって引っ張る一連の作業によって、第２テープ折返部を第１テープ折返部から離し、第１テープ折返部を第１フラップ折返部から離し、止着部を第２テープ折返部から離してテープ部材を展開することができる。
【００１２】
上記吸収性物品において、前記サイドフラップは、前記自由端部に最も近い前記縦方向に沿った第１フラップ折り目と、前記自由端部に対して前記第１フラップ折り目より離れて位置する第２フラップ折り目と、前記自由端部に対して前記第２フラップ折り目より離れて位置する第３フラップ折り目と、前記自由端部と前記第１フラップ折り目との間に位置する第１フラップ折返部と、前記第１フラップ折り目と前記第２フラップ折り目との間に位置する第２フラップ折返部と、前記第２フラップ折り目と前記第３フラップ折り目との間に位置する第３フラップ折返部とを備え、前記第３フラップ折返部が前記第３フラップ折り目に沿って前記吸収性物品の肌と接する表面の上に重なるように前記横方向内側に向けて折り返されており、前記第２フラップ折返部が前記第２フラップ折り目に沿って前記第３フラップ折返部の上に重なるように前記横方向外側に向けて折り返されており、前記第１フラップ折返部が前記第１フラップ折り目に沿って前記第２フラップ折返部と前記第３フラップ折返部との間に位置するように折り返されており、前記止着部の先端部は、前記第１フラップ折り目および前記第３フラップ折り目より前記横方向の外側に向かって突出されている構成としてもよい。
【００１３】
上記構成によれば、止着部の先端部を指などで摘んで、横方向の外側に向かって引っ張る一連の作業によって、肌と接する表面から第３フラップ折返部を離し、第２フラップ折返部を第３フラップ折返部から離し、第１フラップ折返部を第２フラップ折返部から離してサイドフラップを展開することができる。
【００１４】
上記吸収性物品において、前記テープ部材は、前記サイドフラップに固定される固定部を備え、前記自由端部に沿う位置であって、かつ、前記固定部と前記第１テープ折返部との境界に前記第１テープ折り目を備え、前記サイドフラップは、前記固定部における前記第１テープ折り目に対して前記横方向の反対側の端部に沿って前記第１フラップ折り目を備える構成としてもよい。
【００１５】
上記構成によれば、サイドフラップの自由端部を利用して、自由端部に沿った第１テープ折り目を付けることができる。また、固定部の第１テープ折り目とは反対側の端部を利用して、当該端部に沿った第１フラップ折り目を付けることができる。
【００１６】
上記吸収性物品において、前記前身頃、前記後身頃、および、前記股下部に亘って、前記縦方向に延在する吸収性本体を備え、前記吸収性本体は、吸収体を含み、前記第３フラップ折返部には、前記吸収体の前記横方向における両端部が配置され、前記サイドフラップは、前記第３フラップ折り目において、前記吸収体を含め折り返されている構成としてもよい。
上記構成によれば、吸収体の横方向を、折り畳むことで、吸収性物品を小さく折り畳むことができる。
【００１７】
上記吸収性物品において、前記止着面は、止着領域と、前記止着領域に対して前記止着部のさらに先端側に位置する非止着領域とを備えている構成としてもよい。
上記構成によれば、止着部の先端部に非止着領域を備えているので、止着部の先端部が摘みやすくなる。
【発明の効果】
【００１８】
本発明によれば、迅速に着用させることを可能とした吸収性物品を提供することができる。
【図面の簡単な説明】
【００１９】
【図１】本発明の吸収性物品を具体化したテープ型使い捨ておむつの斜視図。
【図２】テープ型使い捨ておむつの展開状態を示した平面図。
【図３】サイドフラップとテープ部材との関係を示す要部分解斜視図。
【図４】テープ部材の先端部を折り畳んだ状態を示す要部斜視図。
【図５】サイドフラップおよびテープ部材を折り畳んだ状態を示す要部断面図。
【図６】前身頃と後身頃とが展開されたおむつであって、サイドフラップおよびテープ部材が折り畳まれた状態を、トップシートの側から見た平面図。
【図７】おむつが三つ折りされた状態を示す斜視図。
【図８】テープ部材の変形例を示す図であり、（ａ）は、１つの固定部に対して２つの延出部と止着部を設けた変形例を示す要部平面図、（ｂ）は、１つの固定部および延出部に対して２つの止着部を設けた変形例を示す要部平面図、（ｃ）は、ミシン目で延出部と止着部を複数個に分断する変形例を示す要部平面図。
【発明を実施するための形態】
【００２０】
図１ないし図８を参照して本発明における使い捨ておむつを具体化した一実施形態におけるテープ型使い捨ておむつについて説明する。
図１に示すように、テープ型使い捨ておむつ１０（以下、単に「おむつ１０」という。）は、一例として、成人用おむつである。おむつ１０は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００２１】
前身頃１０Ｆにおいて股下部１０Ｃと反対側は、人体の胴回りの部分を取り囲む胴回り部１０Ｗを構成し、上端に、胴回り開口部１０Ａを備えている。また、前身頃１０Ｆにおける左右両端部、後身頃１０Ｒにおける左右両端部、および、股下部１０Ｃにおける左右両端部とは、人体の太股部分を取り囲む形状を有した左右一対の脚周り開口部１０Ｌを構成している。前身頃１０Ｆの腹側胴回りを囲む部分は、胴回り部１０Ｗを構成する前胴回り構成部１２Ｆであり、後身頃１０Ｒの背側胴回りを囲む部分は、胴回り部１０Ｗを構成する後胴回り構成部１２Ｒである。前胴回り構成部１２Ｆおよび後胴回り構成部１２Ｒの胴回り方向となる横方向の両端部は、サイドフラップ１１を備えており、後身頃１０Ｒのサイドフラップ１１には、後身頃１０Ｒと前身頃１０Ｆを連結するテープ部材２０を備えている。サイドフラップ１１は、胴回り寸法や脚回り寸法の標準的大きさの着用者だけでなく、胴回り寸法が標準より大きい着用者、および、胴回り寸法が標準より小さい着用者、ならびに、脚回り寸法が標準より大きい着用者、および、脚回り寸法が標準より小さい着用者にも対応できるようにするための調整代となる。
【００２２】
図２は、テープ型使い捨ておむつの展開状態を示す平面図である。おむつ１０には、帯状の吸収性本体５０が前身頃１０Ｆ、股下部１０Ｃ、および、後身頃１０Ｒに跨るように設けられている。吸収性本体５０は、液不透過性を有したバックシート１３と、吸収体１４と、液透過性を有したトップシート１５とを備えている。おむつ１０において、トップシート１５は、着用者の皮膚と接する内側に配置され、バックシート１３は、外側に配置され、外側から、バックシート１３、吸収体１４、トップシート１５の順に重なっている。さらに、バックシート１３の外側には、手触り感を向上させるために、不織布で構成されたカバーシート１６を配置されている。
【００２３】
吸収体１４を形成する材料は、例えば、フラップパルプ、高吸収性ポリマー（ＳＡＰ：Superabsorbent polymer）、親水性シートなどの吸収性材料である。そして、吸収体１４は、一例として、親水性シートで構成されるコアラップによって包まれ、バックシート１３とトップシート１５との間に配置される。吸収体１４の股下部１０Ｃに相当する部分には、両側に脚部の逃げとなる切欠部１４Ａが設けられている。したがって、吸収体１４は、股下部１０Ｃに相当する部分よりも前胴回り構成部１２Ｆや後胴回り構成部１２Ｒに相当する部分が幅広となっており、前胴回り構成部１２Ｆや後胴回り構成部１２Ｒに相当する部分では、サイドフラップ１１と重なっている。また、カバーシート１６の前身頃１０Ｆの部分には、テープ部材２０の止着部が止着される止着領域１８が設けられている（図１参照）。
【００２４】
吸収性本体５０には、前後方向に沿う両端部に立体ギャザーが配置されている。立体ギャザーは、トップシート１５の前後方向に沿う両端部に配置されたサイドシート１７と、サイドシート１７にその縦方向に沿って配置された弾性部材１４Ｅとを備えている。立体ギャザーは、弾性部材１４Ｅが収縮した際に、サイドシート１７が着用者の皮膚当接方向に向かって立ち上がり、脚回り開口部１０Ｌの周囲に位置する。
【００２５】
サイドフラップ１１は、胴回り部分に位置するカバーシート１６とサイドシート１７とが重ね合わされることにより構成されている。また、サイドフラップ１１の部分には、バックシート１３の一部、トップシート１５の一部、および、吸収体１４の横方向における両端部の一部も含まれている。なお、左右一対の脚周り開口部１０Ｌを構成する部分にも、弾性部材１４Ｌが配置されている。
【００２６】
バックシート１３は、吸収体１４よりも若干大きく形成されている。バックシートは、例えば、液不透過性を有したポリエチレン樹脂製のフィルムで形成されている。バックシート１３は、通気性を確保するため、微細孔が多数形成されている。
【００２７】
トップシート１５は、肌と接するシートであり、肌に対して低刺激性の材料で形成されている。例えば、トップシート１５は、織布、不織布、多孔性フィルムなどで形成されている。また、トップシート１５には、例えば、ポリプロピレン、ポリエチレン、ポリエステル、ナイロンのような熱可塑性樹脂の繊維であって親水化処理が施された繊維から構成される不織布が用いられることが好ましい。また、カバーシート１６やサイドシート１７にあっても、例えばトップシート１５と同様な材料で形成されている。
【００２８】
図３に示すように、後身頃１０Ｒにおける左右両端部に位置するサイドフラップ１１は、その横方向の端部に縦方向に直線状に延びる自由端部１１Ａが構成されている。各自由端部１１Ａからは、外側に延出してテープ部材２０が配設されている。テープ部材２０は、基端部に構成される固定部２１と、固定部２１に連続して設けられる延出部２２と、延出部２２の先端部に設けられる止着部としてのフック部２３とを備えている。
【００２９】
固定部２１は、ホットメルト接着剤などの接着手段によって、サイドフラップ１１を構成するカバーシート１６の内面とサイドシート１７の内面とに挟持された状態で固定される。
【００３０】
延出部２２は、固定部２１とフック部２３との間の部分であり、自由端部１１Ａより横方向に延出した部分である。ここでは、延出部２２の幅は、固定部２１の幅と同じに設定されている。
【００３１】
フック部２３は、延出部２２の先端部に備えられており、ここでは、延出部２２よりも幅狭に形成されている。フック部２３の一方の面は、多数のフックが設けられた止着面としてのフック面２３Ａである。フック面２３Ａには、長さ方向における先端部に、フックが設けられていない、非止着領域としての非フック領域２３Ｂが設けられており、非フック領域２３Ｂが摘みやすくなっている。また、延出部２２およびフック部２３において、他方の面（外面）は、フック領域２３Ｃが止着可能な止着部としてのテープ止着領域２３Ｄとしても機能するように構成されている（図４参照）。
【００３２】
以上のように構成されたテープ部材２０の延出部２２は、自由端部１１Ａから延出した延出部２２とフック部２３の部分がつづら折りされＺ字形状に折り畳まれる。なお、横方向における反対側の延出部２２は、逆Ｚ字形状に折り畳まれる。具体的に、延出部２２とフック部２３の部分は、縦方向に沿って、自由端部１１Ａに近い側から第１テープ折り目２４と第２テープ折り目２５と第３テープ折り目２６とを備えている。
【００３３】
第１テープ折り目２４は、自由端部１１Ａに沿う位置であって固定部２１と延出部２２との境界に設けられ、このような第１テープ折り目２４に対して平行に第２テープ折り目２５と第３テープ折り目２６が設けられている。そして、第１テープ折り目２４と第２テープ折り目２５との間が第１テープ折返部２７となり、第２テープ折り目２５と第３テープ折り目２６との間が第２テープ折返部２８となり、第３テープ折り目２６と先端部との間がフック部２３となる。
【００３４】
図４に示すように、第１テープ折返部２７は、サイドフラップ１１を構成するサイドシート１７の上に重なるように第１テープ折り目２４に沿って横方向の内側に向かって折り返される。第２テープ折返部２８は、第１テープ折返部２７の上に重なるように第２テープ折り目２５に沿って横方向の外側に向かって折り返される。そして、フック部２３は、第２テープ折返部２８の上に重なるように第３テープ折り目２６に沿って横方向の内側に向かって折り返される。非フック領域２３Ｂとなっているフック部２３の先端部は、第２テープ折返部２８の上に重なるように折り返されると、第２テープ折り目２５より突出し摘み部２９を構成する。
【００３５】
第１テープ折返部２７とサイドシート１７との間は、接着剤やエンボス等の仮止手段によって仮止めされていてもいし、仮止めされていなくてもよい。また、第１テープ折返部２７と第２テープ折返部２８との間も、接着剤やエンボス等の仮止手段によって仮止めされていてもいし、仮止めされていなくてもよい。さらに、第２テープ折返部２８とフック部２３との間は、フック領域２３Ｃのフックによって第２テープ折返部２８に止めされるようにしてもよいし、さらに、接着剤やエンボス等の仮止手段によって仮止めしてもよいし、仮止めされていなくてもよい。何れの箇所においても、仮止めされていれば、例えば、製造途中において、サイドフラップ１１を折り畳む際に、サイドフラップ１１に対してテープ部材２０がばたつくことを抑制でき、これにより、生産効率を向上することができる。
【００３６】
次に、以上のように構成されたおむつ１０の製造方法について説明する。テープ部材２０は、延出部２２がつづら折りされた状態で製造ラインに部品供給される。そして、テープ部材２０は、固定部２１をカバーシート１６とサイドシート１７の間に挟み込んで接着剤などの接着手段によってサイドフラップ１１に固定される。
【００３７】
テープ部材２０の固定部２１がサイドフラップ１１に固定されると、サイドフラップ１１が折り畳まれる。図５は、サイドフラップ１１およびテープ部材２０を折り畳んだ状態を示している。なお、テープ部材２０は、第１テープ折り目２４に沿って第１テープ折返部２７を折り返した状態で固定部２１をカバーシート１６とサイドシート１７の間に挟み込んで固定してもよいし、固定部２１をカバーシート１６とサイドシート１７の間に挟み込んでから第１テープ折り目２４に沿って第１テープ折返部２７を折り返してもよい。
【００３８】
サイドフラップ１１は、自由端部１１Ａに近い横方向に対して直交する縦方向に沿った第１フラップ折り目３１と、自由端部１１Ａに対して第１フラップ折り目３１より離れて位置する第２フラップ折り目３２と、自由端部１１Ａに対して第２フラップ折り目３２より離れて位置する第３フラップ折り目３３とを備えている。
【００３９】
第１フラップ折り目３１は、固定部２１における第１テープ折り目２４に対して横方向の反対側の端部に沿った位置に設定される。そして、第２フラップ折り目３２と第３フラップ折り目３３とは、第１フラップ折り目３１に対して平行に設けられている。第２フラップ折り目３２は、吸収体１４の横方向における側縁に沿う位置に設定されている。第３フラップ折り目３３は、サイドフラップ１１において、吸収体１４が存在する領域に設定されている。一例として、両側のサイドフラップ１１に設けられる第３フラップ折り目３３の位置は、吸収体１４における切欠部１４Ａの最深部を縦方向に延長した線の位置とほぼ同じである。そして、自由端部１１Ａと第１フラップ折り目３１との間に第１フラップ折返部３４を備え、第１フラップ折り目３１と第２フラップ折り目３２との間に位置する第２フラップ折返部３５を備え、第２フラップ折り目３２と第３フラップ折り目３３との間に位置する第３フラップ折返部３６を備える。
【００４０】
第１テープ折返部２７がサイドシート１７の上に重なるように折り返された状態（図４参照）から、第１フラップ折返部３４は、第１フラップ折り目３１に沿って横方向の内側に向かって第２フラップ折返部３５のカバーシート１６の下側であってカバーシート１６に重なるように折り返される。そして、第２フラップ折返部３５は、第２フラップ折り目３２に沿って横方向の外側に向かって第３フラップ折返部３６の上側であってカバーシート１６に重なるように折り返される。さらに、第３フラップ折返部３６は、第３フラップ折り目３３に沿って横方向の内側に向かって肌と接する表面となるトップシート１５またはサイドシート１７の上に重なるように折り返される。これにより、第２フラップ折返部３５と第３フラップ折返部３６との間は、横方向の内側に第２フラップ折り目３２が位置し横方向の外側が開放され、折り畳まれたテープ部材２０は、第２フラップ折返部３５と第３フラップ折返部３６との間において、先端部が横方向の外側に向かって突出するように配置される。具体的に、フック部２３の先端部、すなわち、摘み部２９は、おむつ１０の横方向の外側に位置する第１フラップ折り目３１や第３フラップ折り目３３や第２テープ折り目２５より横方向の外側に位置する。
【００４１】
第１フラップ折返部３４と第２フラップ折返部３５との間や、第２フラップ折返部３５と第３フラップ折返部３６との間や、第３フラップ折返部３６とトップシート１５との間は、仮止めされていてもよいし、仮止めされていなくてもよい。仮止めされていない場合には、サイドフラップ１１の展開作業を行うときの力を小さくすることができる。また、これら３箇所の中で１つ又は２箇所を仮止めしてもよい。仮止めする箇所の数や面積を調整することで、サイドフラップ１１の展開作業を行うときの力を調整することができる。
【００４２】
図６は、サイドフラップ１１およびテープ部材２０が折り畳まれた状態であって、前身頃１０Ｆと後身頃１０Ｒとが股下部１０Ｃに対して展開されたおむつ１０を、トップシート１５の側から見た平面図である。おむつ１０は、さらに折り畳まれた状態で重ねられた状態で可撓性を有する収納袋に収納される。この場合、前身頃１０Ｆと股下部１０Ｃとの境界を前折れ目４１とし、股下部１０Ｃと後身頃１０Ｒとの境界を後折れ目４２として折り畳まれる。図７に、おむつ１０が三つ折りされた状態を示す。なお、おむつ１０は、縦方向に二つ折りや四つ折りであってもよい。
【００４３】
おむつ１０を使用するときには、図７に示す三つ折りの状態から図６に示す股下部１０Ｃに対して前身頃１０Ｆと後身頃１０Ｒとを開いた状態とされる。そして、着用者の臀部を持ち上げ、トップシート１５を上側にして、後身頃１０Ｒを臀部の下側に敷き、着用者の股下に股下部１０Ｃをあてがい、前身頃を着用者の腹部に位置させる。その後、テープ部材２０が展開され、フック面２３Ａが前身頃１０Ｆの止着領域１８やテープ止着領域２３Ｄに止着され、前身頃１０Ｆと後身頃１０Ｒとが結合される。
【００４４】
サイドフラップ１１およびテープ部材２０を展開するには、摘み部２９を指などで摘んで、横方向の外側に向かって引っ張る。すると、サイドフラップ１１は、トップシート１５から第３フラップ折返部３６が離れ、第２フラップ折返部３５が第３フラップ折返部３６から離れ、第１フラップ折返部３４が第２フラップ折返部３５から離れようにして展開される。これと同じくして、テープ部材２０は、第２テープ折返部２８が第１テープ折返部２７から離れ、第１テープ折返部２７が第１フラップ折返部３４から離れ、フック部２３が第２テープ折返部２８から離れるように展開される。なお、図７に示す三つ折りの状態から摘み部２９を指などで摘んで、横方向の外側に向かって引っ張るようにすれば、勢いで、前身頃１０Ｆと後身頃１０Ｒとを股下部１０Ｃに対して開いた状態（図６に示す状態）に展開できると同時に、サイドフラップ１１を上述同様に展開できる。そして、フック部２３のフック面２３Ａは、前身頃１０Ｆのカバーシート１６で構成された外装面に構成された止着領域１８に止着される。テープ部材２０は、横方向左右両端部に位置するサイドフラップ１１にそれぞれ縦方向に２つ並んで設けられている。１つのテープ部材２０のフック面２３Ａは、前身頃１０Ｆの止着領域１８だけでなく、他のテープ部材２０のフック部２３に設けられたテープ止着領域２３Ｄにも止着することができる（図１参照）。
【００４５】
以上、上記おむつ１０によれば以下に列挙する作用効果を得ることができる。
（１）フック部２３の先端部、すなわち、摘み部２９は、横方向外側を向くように配置されており、摘み部２９を指などで摘んで、横方向の外側に向かって引っ張る一連の作業によって、テープ部材２０とサイドフラップ１１とを横方向の外側に向かって展開することができる。すなわち、フック面２３Ａが外部に露出し、フック部２３を前身頃１０Ｆの止着領域１８に止着するだけの状態にすることができる。したがって、サイドフラップ１１およびテープ部材２０を展開する作業時間を短縮することができる。
【００４６】
（２）フック部２３の先端部、すなわち、摘み部２９は、おむつ１０の横方向の外側に位置する第１フラップ折り目３１や第３フラップ折り目３３や第２テープ折り目２５より横方向の外側に位置する。したがって、摘み部２９を摘みやすい状態とすることができる。
【００４７】
（３）具体的に、摘み部２９を指などで摘んで、横方向の外側に向かって引っ張る一連の作業によって、第２テープ折返部２８を第１テープ折返部２７から離し、第１テープ折返部２７を第１フラップ折返部３４から離し、フック部２３を第２テープ折返部２８から離してテープ部材２０を展開することができる。
【００４８】
（４）また、トップシート１５またはサイドシート１７から第３フラップ折返部３６を離し、第２フラップ折返部３５を第３フラップ折返部３６から離し、第１フラップ折返部３４を第２フラップ折返部３５から離してサイドフラップ１１を展開することができる。
【００４９】
（５）サイドフラップ１１の自由端部１１Ａを利用して、自由端部１１Ａに沿った第１テープ折り目２４を付けることができる。
（６）テープ部材２０における固定部２１の第１テープ折り目２４とは反対側の端部を利用して、当該端部に沿った第１フラップ折り目３１を付けることができる。
【００５０】
（７）おむつ１０の横方向を、吸収体１４が介在した第３フラップ折り目３３に沿って折り畳むことで、吸収性物品を小さく折り畳むことができる。
（８）フック部２３の先端部は、非フック領域２３Ｂを備えているので、摘み部２９が摘みやすくなる。
【００５１】
なお、上記実施形態は以下のように適宜変更して実施することもできる。
・以上の例では、第３フラップ折り目３３の位置を、サイドフラップ１１において、吸収体１４が存在する領域に設定しているが、吸収体１４の側縁に沿う位置、すなわち吸収体１４を折らなくて済む位置に設定してもよい。
【００５２】
・フック面２３Ａは、全体がフック領域２３Ｃであってもよい。すなわち、フック面２３Ａの先端部も、非フック領域２３Ｂではなくフック領域２３Ｃで構成してもよい。フック部２３の先端部、すなわち、摘み部２９は、横方向の外側に位置する第１フラップ折り目３１や第２テープ折り目２５より横方向の外側に位置している。したがって、フック部２３の先端部は、フック面２３Ａの先端部もフック領域２３Ｃで構成しても、近い領域に止着領域が存在せず、第１フラップ折り目３１や第２テープ折り目２５より横方向の外側に突出した状態を維持できるからである。
【００５３】
・第１テープ折り目２４は、サイドフラップ１１の自由端部１１Ａに沿った位置に設けるのではなく、自由端部１１Ａから離間した位置に設けるようにしてもよい。
・第１フラップ折り目３１は、固定部２１における第１テープ折り目２４と反対側の端部に沿って設けるのではなく、該端部から離間した位置に設けるようにしてもよい。
【００５４】
・テープ部材２０における延出部２２の折り方は、サイドフラップ１１を折り畳んだときにフック部２３の先端部が第１フラップ折り目３１や第２テープ折り目２５より横方向の外側に突出した状態となるように折り畳まれるのであれば特に限定されるものではない。
・サイドフラップ１１の折り方も、フック部２３の先端部が第１フラップ折り目３１や第２テープ折り目２５より横方向の外側に突出した状態となるように折り畳まれるのであれば特に限定されるものではない。
【００５５】
・テープ部材２０は、後身頃１０Ｒのサイドフラップ１１ではなく、前身頃１０Ｆのサイドフラップ１１に固定するようにしてもよい。この場合、フック面２３Ａが止着される止着領域１８は、後身頃１０Ｒのカバーシート１６に設けられることになる。
【００５６】
・サイドフラップ１１は、カバーシート１６とサイドシート１７を重ねた構成に限定されるものではない。例えば、帯形状を有する吸収性本体５０の縦方向の両端部に、吸収性本体５０の横方向を長手方向とした外装体を接着して、一方の外装体で前身頃を構成し他方の外装体で後身頃を構成してもよい。この場合、外装体の横方向の両端部がサイドフラップとなり、外装体を構成する２枚のシートでテープ部材２０の固定部２１を挟んで固定することになる。
【００５７】
・テープ部材２０の構成は、上述の例に限定されるものではない。例えば、図８（ａ）に示すように、固定部２１を１つにし、１つの固定部から複数、例えば２つの延出部２２とフック部２３を設けるようにしてもよい。また、図８（ｂ）に示すように、固定部２１と延出部２２を１つにし、延出部２２から複数、例えば２つのフック部２３を設けるようにしてもよい。
【００５８】
さらに、図８（ｃ）に示すように、サイドフラップ１１の自由端部１１Ａに対して突出するように複数分、例えば２つ分の延出部２２とフック部２３を設け、自由端部１１Ａに対して垂直な方向に延びるミシン目４５を設け、使用時に、ミシン目４５に沿って延出部２２とフック部２３を２つに分けるようにしてもよい。例えば、３つの延出部２２とフック部２３を設ける場合は、自由端部１１Ａに対して垂直な方向に延びる２本のミシン目４５を設けることになる。
【００５９】
・自由端部１１Ａと延出部２２の根本に位置する第３テープ折り目２６は、自由端部１１Ａに沿っていなくてもよい。例えば、第３テープ折り目２６は、自由端部１１Ａから離れていてもよい。
【００６０】
・テープ部材２０の固定部２１は、カバーシート１６とサイドシート１７とで挟むのではなく、カバーシート１６の外側の外装面に接着剤などの接着手段で固定してもよいし、サイドシート１７のトップシート１５と同じ側の面に接着剤などの接着手段で固定してもよい。
【００６１】
・フック部２３の先端部、すなわち、摘み部２９を目視で特定できるようにするため、摘み部２９は、少なくとも摘み部２９より上に位置する第１フラップ折り目３１や第２テープ折り目２５より横方向の外側に位置していればよい。すなわち、摘み部２９は、第３フラップ折り目３３より横方向の内側に位置していてもよい。
・テープ部材２０は、止着部として、フック部２３に代えて、剥離可能な粘着部としてもよい。
・おむつ１０としては、乳幼児用おむつであってもよい。また、ペット用おむつであってもよい。
【符号の説明】
【００６２】
１０…テープ型使い捨ておむつ、１０Ａ…胴回り開口部、１０Ｃ…股下部、１０Ｆ…前身頃、１０Ｌ…開口部、１０Ｒ…後身頃、１０Ｗ…胴回り部、１１…サイドフラップ、１１Ａ…自由端部、１２Ｆ…前胴回り構成部、１２Ｒ…後胴回り構成部、１３…バックシート、１４…吸収体、１４Ａ…切欠部、１４Ｅ…弾性部材、１４Ｌ…弾性部材、１５…トップシート、１６…カバーシート、１７…サイドシート、１８…止着領域、２０…テープ部材、２１…固定部、２２…延出部、２３…フック部、２３Ａ…フック面、２３Ｂ…非フック領域、２３Ｃ…フック領域、２３Ｄ…テープ止着領域、２４…第１テープ折り目、２５…第２テープ折り目、２６…第３テープ折り目、２７…第１テープ折返部、２８…第２テープ折返部、２９…摘み部、３１…第１フラップ折り目、３２…第２フラップ折り目、３３…第３フラップ折り目、３４…第１フラップ折返部、３５…第２フラップ折返部、３６…第３フラップ折返部、４１…前折れ目、４２…後折れ目、４５…ミシン目、５０…吸収性本体。
【図１】
2018050669.tif 000003
【図２】
2018050669.tif 000004
【図３】
2018050669.tif 000005
【図４】
2018050669.tif 000006
【図５】
2018050669.tif 000007
【図６】
2018050669.tif 000008
【図７】
2018050669.tif 000009
【図８】
2018050669.tif 000010